(57)【要約】    【課題】  シゴキ孔に適切な径を持たせることができ、これによって塗布具への液体化粧料の適正残量を確保できるとともに、容器が倒れたとしても、内部の液体化粧料が漏れでないようにすることのできる液体化粧料用塗布具付き容器を提供することを目的とする。    【解決手段】  液体化粧料を収容する容器本体と、この容器本体内に挿入される塗布具が取り付けられたキャップとを備え、容器本体の口部に前記塗布具のシャフトを払拭するためのシゴキパッキンが設けられており、このシゴキパッキンの中央部にシゴキ孔が設けられている液体化粧料用塗布具付き容器において、前記塗布具のシゴキ孔の通過は許すが、前記塗布具が前記容器本体から抜かれたとき、前記シゴキ孔を実質的に閉鎖する液体化粧料漏れ防止部材を備えていることを特徴とする。【選択図】  図２
2007021052.tif 000002
【特許請求の範囲】
【請求項１】
液体化粧料を収容する容器本体と、この容器本体内に挿入される塗布具が取り付けられたキャップとを備え、容器本体の口部に前記塗布具のシャフトを払拭するためのシゴキパッキンが設けられており、このシゴキパッキンの中央部にシゴキ孔が設けられている液体化粧料用塗布具付き容器において、前記塗布具のシゴキ孔の通過は許すが、前記塗布具が前記容器本体から抜かれたとき、前記シゴキ孔を実質的に閉鎖する液体化粧料漏れ防止部材を備えていることを特徴とする液体化粧料用塗布具付き容器。
【請求項２】
液体化粧料を収容する容器本体と、この容器本体内に挿入される塗布具が取り付けられたキャップとを備え、容器本体の口部に前記塗布具のシャフトを払拭するためのシゴキパッキンが設けられており、このシゴキパッキンの中央部にシゴキ孔が設けられている液体化粧料用塗布具付き容器において、前記塗布具の通過は許すが、前記塗布具が前記容器本体から抜かれたとき、口部を実質的に閉鎖する液体化粧料漏れ防止部材を口部に備えていることを特徴とする液体化粧料用塗布具付き容器。
【発明の詳細な説明】
【技術分野】
【０００１】
本発明は、液体化粧料用塗布具付き容器に関するものである。
【背景技術】
【０００２】
上記のような液体化粧料用塗布具付き容器は、液体化粧料を収容する容器本体と、この容器本体内に挿入される塗布具が取り付けられたキャップとを備え、容器本体の口部に前記塗布具の軸を払拭するためのシゴキパッキンが設けられており、このシゴキパッキンの中央部にシゴキ孔が設けられている。
このようなシゴキパッキンを設けた理由は、（１）液体化粧料が塗布具の軸に付着することから、パッキン内径（シゴキ孔内径）でシャフト外径を掻き落して、使用時、他への液付着を防止するためと、（２）このパッキン内径で塗布具に液体化粧料が使用適量残るようにするためと、（３）容器が倒れた時、液体化粧料が容器より流出して周囲を汚さないようにするため等である。
【０００３】
液体化粧料用塗布具付き容器にシゴキパッキンを設けた理由は、以上説明した通りであるが、特に上記の（２）と（３）は矛盾した側面がある。例えば、液体化粧料の中で最も粘度が低いと思われる染毛剤の場合には、シゴキ孔径が２．５φ以上だと、容器が倒れたとき、シゴキ孔から漏れだしてしまう。したがって、シゴキ孔径が２．３φの容器が現存し、この容器においては、倒れたときにも液体化粧料が漏れだしてしまうようなことはない。しかしながら、シゴキ孔の径が小さいために、シゴキ後には液体化粧料は塗布具のブラシ毛表面に付着しているもの以外はほとんど残っておらず、塗布具のブラシに残る液体化粧料の量があまりに少なすぎて、塗布具の容器に対する出し入れを何回も何回も繰り返して塗布を行わなくてはならないという問題があった。
【発明の開示】
【発明が解決しようとする課題】
【０００４】
本発明は、シゴキ孔に適切な径を持たせることができ、これによって塗布具への液体化粧料の適正残量を確保できるとともに、容器が倒れたとしても、内部の液体化粧料が漏れでないようにすることのできる液体化粧料用塗布具付き容器を提供することを目的とする。
【課題を解決するための手段】
【０００５】
上記課題を解決するため、本発明の第１のアスペクトによる液体化粧料用塗布具付き容器は、液体化粧料を収容する容器本体と、この容器本体内に挿入される塗布具が取り付けられたキャップとを備え、容器本体の口部に前記塗布具のシャフトを払拭するためのシゴキパッキンが設けられており、このシゴキパッキンの中央部にシゴキ孔が設けられている液体化粧料用塗布具付き容器において、前記塗布具のシゴキ孔の通過は許すが、前記塗布具が前記容器本体から抜かれたとき、前記シゴキ孔を実質的に閉鎖する液体化粧料漏れ防止部材を備えていることを特徴とする。
【０００６】
本発明の第２のアスペクトによる液体化粧料用塗布具付き容器は、液体化粧料を収容する容器本体と、この容器本体内に挿入される塗布具が取り付けられたキャップとを備え、容器本体の口部に前記塗布具のシャフトを払拭するためのシゴキパッキンが設けられており、このシゴキパッキンの中央部にシゴキ孔が設けられている液体化粧料用塗布具付き容器において、前記塗布具の通過は許すが、前記塗布具が前記容器本体から抜かれたとき、口部を実質的に閉鎖する液体化粧料漏れ防止部材を口部に備えていることを特徴とする。
【発明の効果】
【０００７】
本発明の液体化粧料用塗布具付き容器は、上記したように、液体化粧料漏れ防止部材を備えて、塗布具が容器本体から抜かれたとき、シゴキ孔を閉じるか、あるいは口部自体を閉じることができるようになっているので、塗布具が容器本体から抜かれているときに、容器本体が倒れても、内部の液体が外に漏れ出すことがない。本発明の液体化粧料用塗布具付き容器においては、このような
液体化粧料漏れ防止部材を備えているので、シゴキ孔自体による液体化粧料の漏れ防止を考えなくてもよいので、シゴキ孔の径を自由に選択でき、シゴキ後の塗布具への液体化粧料の残量を適切なものとすることができる。
【発明を実施するための最良の形態】
【０００８】
以下、添付図面を参照しつつ、本発明の液体化粧料用塗布具付き容器の好ましい実施の形態について説明する。
まず、図１および図２等を参照して、本発明の第１実施形態による液体化粧料用塗布具付き容器１０について説明する。
この容器１０は、容器本体１２と、塗布具１４が取り付けられたキャップ１６とを備える。上記容器本体１２の口部１２ａには、ゴム等の弾性材を一体成形してなるパッキン体１８が設けられており、このパッキン体１８は、上記容器本体１２の口部に嵌合する筒状部２０と、その下部に設けられたシゴキパッキン本体２２とを有している。このシゴキパッキン本体２２は、上記塗布具１４のシャフト２６の径より僅かに小さな内径のシゴキ孔２４が形成された内径縁部２８を有しており、この内径縁部２８は、上記塗布具１４のシャフト２６に付着した粘性液体を払拭するとともに、塗布具１４に付着した余剰の液体化粧料を払拭するためのものである。
【０００９】
上記容器本体１２は、液体化粧料漏れ防止部材を備えている。この液体化粧料漏れ防止部材は、シゴキ孔閉塞部材３０として構成されており、このシゴキ孔開閉部材３０は、上記容器本体１２の上下方向に圧縮伸張可能なコイルバネ３２、およびこのコイルバネ３２の上端に設けられ、このコイルバネ３２が伸張したとき、上記シゴキパッキン本体２２に接触し、そのシゴキ孔２４を実質的に閉じる栓皿３４を備えている。ここで、シゴキ孔を実質的に閉じるとは、孔や隙間があり完全に閉じられていなくとも、シゴキ孔の部分から液体化粧料が漏れ出さないように閉じられているものを含む意である。上記栓皿３４は、塗布具１４のシャフト２６の外径よりも内径が小さく、塗布具１４のブラシ１４ａを収容するカップ体３６、およびこのカップ体３６の上端から半径方向外方に延びる円環状のフランジ３８を有している。
【００１０】
以上の構造により、不使用時、塗布具１４が容器本体１２内に収容され、キャップ１６が該容器本体１２に装着されるときは、塗布具１４のシャフト２６の下端が栓皿３４のフランジ３８に当接して、これをコイルバネ３２に抗して下降させシゴキ孔２４を開き、塗布具１４を挿入可能とし、下降最後で、図１に示したように、塗布具１４が容器本体１２内に収容された態様で、キャップ１６が該容器本体１２に装着される。このとき、栓皿３４は、不作用位置である容器本体１２内部の下端位置に位置する。
【００１１】
一方、使用時に、キャップ１６を容器本体１２の口部１２ａから外し、塗布具１４を容器本体１２から抜くと、上記コイルバネ３２の作用により栓皿３４が上昇し、最後に図２に示したように上記シゴキパッキン本体２２に接触し、そのシゴキ孔２４を閉じる（栓皿３４の作用位置）。以上により、不使用時にシゴキ孔２４が閉じられているので、誤って容器本体１２を転倒させてしまったときでも、容器本体１２内部から液体化粧料が漏れだして、周りや衣服を汚してしまうことがない。
なお、以上説明したタイプのシゴキ孔開閉部材３０の場合には、コイルバネ３２および栓皿３４が上下することにより、容器本体１２内の液体化粧料の攪拌も行うことができる。
【００１２】
以上説明したシゴキ孔開閉部材３０の栓皿３４の形態は塗布具１４の形態によって変更することができる。
例えば、図１および図２にも示したが、塗布具１４がシャフト先ブラシタイプの場合には、図３（ａ）に示したように、栓皿３４はＵ凹タイプのものが好ましい。塗布具１４が捻りブラシタイプの場合には、栓皿３４は図３（ｂ）、（ｃ）に示したように、Ｖ凹タイプのものや平面タイプのものとすることが好ましい。また、塗布具１４が丸棒ネジタイプのものの場合には、栓皿３４は図３（ｄ）に示したように、凸タイプのものとすることができる。
【００１３】
以上説明した例においては、容器本体内を上下方向に圧縮伸張可能なコイルバネにより栓皿を不作用位置と作用位置との間で移動させたが、図４、図５、図６に示したように、シゴキパッキン本体２２の直下に、栓皿４０を支持する栓皿支持枠４２を設け、この栓皿支持枠４２に栓皿４０を枢軸４４により枢着し、図４における不作用位置と、図５に示したシゴキ孔２４を閉じる作用位置との間で枢動できるようにしてもよい。この栓皿４０は、スプリング４６により上記作用位置に付勢されており、この作用位置において上記シゴキ孔２４に突入する突起４０ａをその上面に備えていてもよい。なお、この例においては、栓皿支持枠４２をシゴキパッキン本体２２の直下に配置するため、足部材４８を備えているが、栓皿支持枠４２をリング状にして容器本体１２に圧入して同様に配置することもできる。
【００１４】
栓皿４０の上面に設けるのは、液体化粧料の漏れ防止が可能であるなら、図７（ａ）に示したように凹部４０ｂであってもよい。また、スプリング４６の代わりに図７（ｂ）、（ｃ）に示したように蛇腹バネ５０や板バネ５２とすることもできる。このときには、蛇腹バネ５０や板バネ５２により栓皿４０を栓皿支持枠４２に接続できるので、枢軸４４を省略できる。更にまた、図８（ａ）、（ｂ）や図９（ａ）、（ｂ）に示したように、容器本体内部に配置されるロッド５４の上部で支持されるバネ５６、５８により、栓皿４０をその作用位置に付勢するようにしてもよい。
【００１５】
更にまた、上記シゴキ孔開閉部材３０は、図１０や図１１に示されているように、シゴキパッキン本体２２の内径縁部２８から内方に延び、シゴキ孔２４を実質的に閉じるパッキン膜体６０として構成されていてもよい。このパッキン膜体６０は、ゴム等の弾性材料によりシゴキパッキン本体２２と一体的に形成されてはいるが、シゴキパッキン本体２２よりは薄く形成されているとともに、図１２（ａ）、（ｂ）に示した塗布具１４の挿入時、抜き出し時に塗布具１４に余計な力（適量よりも液体化粧料を余計にシゴイてしまうような力）がかからないように複数のスリット６２が形成されている。すなわち、パッキン膜体６０の厚さは、図１２に示した位置（不作用位置）から、図１０および図１１それぞれの（ｂ）に示された位置（作用位置）に弾性的に戻ることができる弾性力を維持できる厚さであるなら薄ければ薄い方がよい。上記パッキン膜体６０の中央には、図１０の（ｂ）に示したように小さな孔（液体化粧料が漏れ出さないようにするため径２．０ｍｍφ以下）が設けられていても、図１１の（ｂ）に示したように孔が設けられていなくともよい。
【００１６】
以上説明したシゴキパッキン本体２２およびパッキン膜体６０の形態は、それぞれの機能を果たす限度において種々に変更することができる。
例えば、図１０等にも示したが、図１３（ａ）に示したように、シゴキパッキン本体２２とパッキン膜体６０が段差をもって形成されているもの、図１３（ｂ）に示したように、シゴキパッキン本体２２の内径縁部２８がＯリング状のもの、図１３（ｃ）に示したように、シゴキパッキン本体２２とパッキン膜体６０の全体がテーパ状に形成されているもの等とすることができる。
【００１７】
次に、図１４等を参照して本発明の第２実施形態による液体化粧料用塗布具付き容器について説明する。
この第２実施形態による液体化粧料用塗布具付き容器おいては、図１４に示したように、液体化粧料漏れ防止部材を、以上の例のようにシゴキ孔２４を閉じる形式のものではなく、容器本体１２の口部１２ａの内孔（パッキン体１８の内孔も含む）自体を実質的に閉じる口部内孔開閉部材７０として構成している。この口部内孔開閉部材７０は、上記パッキン体１８と同様の材質、形態で構成され、上記のパッキン膜体６０と同様のパッキン膜体７２を備えている。このパッキン膜体７２は、上記パッキン膜体６０のときと同様、図１０（ｂ）や図１１（ｂ）の形態をとることができる。すなわち、この口部内孔開閉部材７０は、パッキン膜体６０をシゴキパッキン本体２２から分離して構成したものといえる。なお、図に示した例では、口部内孔開閉部材７０がパッキン体１８と別体のものを示したが、一体であってもよい。また、上の例では、口部内孔開閉部材７０がパッキン体１８の下方に位置するものを示したが、上方に位置してもよい。いずれにせよ、口部内孔開閉部材７０は、容器本体１２の口部１２ａ内孔を有効に閉じることのできるものであるならどのような形態であっても、どのような位置に配置されてもよい。
【００１８】
口部内孔開閉部材７０のパッキン膜体７２の更なる変形例として、図１５に示したように、液体化粧料の漏れがない程度の幅の広いスリット７４を設けた形態や、図１６に示したように、各スリット７６を肉薄部のみとして下方に向かって幅が広がる形状とし、そのスリット７６の肉薄部を更に左右に割れるように紙風船を折り畳んだように畳まれた薄膜７８とした形態とすることもできる。
以上説明したように、本発明の液体化粧料用塗布具付き容器においては、上記した構造の液体化粧料漏れ防止部材の存在により、キャップ取り外し中に、容器本体（容器）が転倒したとしても、容器本体内部の液体化粧料が外部に漏れだし、使用者の衣服等を汚したりすることはない。一方で、塗布具に液体化粧料の適正量を残すシゴキは、十分な内径を有するシゴキパッキン本体により行うので、シゴキ過ぎてしまうようなことがない。
【図面の簡単な説明】
【００１９】
【図１】本発明の第１実施態様による液体化粧料用塗布具付き容器の垂直断面図である。栓皿３４は不作用位置に位置している。
【図２】図１に示した液体化粧料用塗布具付き容器において、栓皿３４が作用位置にある状態で示した垂直断面図である。
【図３】（ａ）、（ｂ）、（ｃ）、（ｄ）は、それぞれ本発明の液体化粧料用塗布具付き容器の主要部である栓皿３４の例を概略的に示した図である。
【図４】液体化粧料用塗布具付き容器の変形例を示す垂直断面図である。栓皿４０は不作用位置に位置している。
【図５】図４に示した液体化粧料用塗布具付き容器において、栓皿４０が作用位置にある状態で示した垂直断面図である。
【図６】図４および図５に示した液体化粧料用塗布具付き容器のシゴキ孔開閉部材の斜視図である。
【図７】（ａ）、（ｂ）、（ｃ）は、それぞれシゴキ孔開閉部材の主要部の変形例を示した斜視図である。
【図８】シゴキ孔開閉部材の主要部の変形例を示した斜視図であり、（ａ）、（ｂ）は、それぞれ栓皿４０が作用位置、不作用位置に位置しているときの図である。
【図９】シゴキ孔開閉部材の主要部の他の変形例を示した斜視図であり、（ａ）、（ｂ）は、それぞれ栓皿４０が作用位置、不作用位置に位置しているときの図である。
【図１０】シゴキ孔開閉部材の更に他の変形例を示す垂直断面図であり、（ａ）、（ｂ）は、それぞれ垂直断面図、下方から見た図である。
【図１１】シゴキ孔開閉部材の更に他の変形例を示す垂直断面図であり、（ａ）、（ｂ）は、それぞれ垂直断面図、下方から見た図である。
【図１２】図１１に示したシゴキ孔開閉部材において、塗布具を挿入、抜き出しをするときの図であり、（ａ）は挿入時を示す図であり、（ｂ）は抜き出し時を示す図である。
【図１３】（ａ）、（ｂ）、（ｃ）、（ｄ）は、それぞれシゴキ孔開閉部材とシゴキパッキン本体の変形例を示した斜視図である。
【図１４】本発明の第２実施態様による液体化粧料用塗布具付き容器の主要部であるシゴキパッキンおよび口部内孔開閉部材の垂直断面図である。
【図１５】口部内孔開閉部材の変形例を示す図であり、（ａ）、（ｂ）は、それぞれ正面図、下方から見た図である。
【図１６】口部内孔開閉部材の他の変形例を示す図であり、（ａ）、（ｂ）は、それぞれ正面図、下方から見た図である。
【符号の説明】
【００２０】
１０  液体化粧料用塗布具付き容器
１２  容器本体
１４  塗布具
１６  キャップ
１８  パッキン体
２２  シゴキパッキン本体
３０  シゴキ孔開閉部材
３２  コイルバネ
３４  栓皿
【図１】
2007021052.tif 000003
【図２】
2007021052.tif 000004
【図３】
2007021052.tif 000005
【図４】
2007021052.tif 000006
【図５】
2007021052.tif 000007
【図６】
2007021052.tif 000008
【図７】
2007021052.tif 000009
【図８】
2007021052.tif 000010
【図９】
2007021052.tif 000011
【図１０】
2007021052.tif 000012
【図１１】
2007021052.tif 000013
【図１２】
2007021052.tif 000014
【図１３】
2007021052.tif 000015
【図１４】
2007021052.tif 000016
【図１５】
2007021052.tif 000017
【図１６】
2007021052.tif 000018